(57)【要約】【課題】  本発明は、様々な環境において、雑草抑制効果、地温調整効果、透水性に優れた農業用マルチ材料、具体的には農業用液体マルチ組成物を得ることを目的とする。【解決手段】  （Ａ）成分：カルボキシメチルセルロース又はその塩、（Ｂ）成分：カチオン性高分子、及び（Ｄ）成分：有色剤を含有する農業用液体マルチ組成物。更に、（Ｃ）成分：硫酸塩、リン酸塩、及び硝酸塩からなる群より選ばれる少なくとも１種類の塩を含有させることが好ましい。【選択図】  なし【特許請求の範囲】
【請求項１】
（Ａ）成分：カルボキシメチルセルロース又はその塩、（Ｂ）成分：カチオン性高分子、（Ｄ）成分：有色剤を含有する農業用液体マルチ組成物。
【請求項２】
（Ｃ）成分：硫酸塩、リン酸塩、及び硝酸塩からなる群より選ばれる少なくとも１種類の塩を含有する請求項１に記載の組成物。
【請求項３】
（Ａ）成分が、グルコース残基当たりカルボキシメチル基の置換度が０．４〜１．１のカルボキシメチルセルロースを含む請求項１〜２のいずれか一項に記載の組成物。
【請求項４】
（Ａ）成分が、１％粘度が３００〜２０００ｍＰａ・ｓのカルボキシメチルセルロースを含む請求項１〜３のいずれか一項に記載の組成物。
【請求項５】
（Ｂ）成分が、ポリアクリル酸エステル系化合物及び／又はポリメタクリル酸エステル系化合物である請求項１〜３のいずれか一項に記載の組成物。
【請求項６】
（Ｂ）成分が、カチオン化度が３．０〜５．０ｍｅｑ／ｇであるカチオン性高分子を含む請求項１〜５のいずれか一項に記載の組成物。
【請求項７】
（Ｂ）成分が、分子量３００万〜７５０万のカチオン性高分子を含む請求項１〜６のいずれか一項に記載の組成物。
【請求項８】
（Ｃ）成分が、硫酸アンモニウム、硝酸アンモニウム、及びリン酸アンモニウムからなる群より選ばれる少なくとも１種類のアンモニウム塩を含む請求項１〜７のいずれか一項に記載の組成物。
【請求項９】
（Ｄ）成分が、カーボンブラック、フタロシアニングリーン、チタンホワイト、ベンガラからなる群より選ばれる少なくとも１種類を含む請求項１〜８のいずれか一項に記載の組成物。
【請求項１０】
（Ａ）、（Ｂ）成分の配合比率が、（Ａ）：（Ｂ）＝０．３〜０．８：０．０５〜０．２である請求項１〜９のいずれか一項に記載の組成物。
【請求項１１】
（Ａ）、（Ｂ）及び（Ｃ）成分の配合比率が、（Ａ）：（Ｂ）：（Ｃ）＝０．３〜０．８：０．０５〜０．２：０．４〜１．０である請求項１〜１０のいずれか一項に記載の組成物。
【請求項１２】
（Ａ）、（Ｂ）、（Ｃ）及び（Ｄ）成分の配合比率が、（Ａ）：（Ｂ）：（Ｃ）：（Ｄ）＝０．３〜０．８：０．０５〜０．２：０．４〜１．０：０．０３〜０．１５である請求項１〜１１のいずれか一項に記載の組成物。
【請求項１３】
組成物のｐＨが５．８以上７．５以下であることを特徴とする請求項１〜１２のいずれか一項に記載の組成物。
【請求項１４】
リグニンスルホン酸及びその塩を含む請求項１〜１３のいずれか一項に記載の組成物。
【発明の詳細な説明】
【技術分野】
【０００１】
本発明は、農業用液体マルチ組成物に関する。
【背景技術】
【０００２】
農業用のマルチシートは農作物あるいは花卉の周りの地面を被覆する資材であり、地温の調節、雑草発生の抑制等の効果により農作物あるいは花卉品質、収量の向上を目的として使用されている。従来、この農業用マルチシートはポリオレフィン系のプラスチックフィルムが使用されてきた。しかしながら、これらのプラスチックフィルム製マルチシートは殆ど生分解性がないため、使用後の回収・焼却処理が必要である。この回収・焼却処理にあたっては特殊な装置や多大な労力と時間が必要である上、環境汚染の点からも問題となっている。
【０００３】
この問題の解決のため、土壌中の微生物によって分解されるフィルムを用いた生分解性マルチシートが発案されている。これらの生分解性を有するマルチシートは、使用後に土に鋤き込むことによって処理することが可能である。さらに、別の問題として、プラスチックフィルム製マルチシートは透水性が無く、雨水等が溜まる欠点があり、水を抜くために穴を開けるなど繁雑な作業が伴う。特にカボチャ、スイカ、メロン等の蔓先植物の果実の下に敷設する様な下敷きマルチの分野においては、シート上に水が溜まると腐敗の原因となるので、透水性が必要である。この問題の解決のためには、透水性を有する紙を用いた紙製マルチシートが発案されている（特許文献１）。この紙製マルチシートは生分解性を有するため、生分解性、透水性の両方の特性を有するマルチシートである。
【先行技術文献】
【特許文献】
【０００４】
【特許文献１】特開平11-000059
【発明の概要】
【発明が解決しようとする課題】
【０００５】
しかしながら、紙製マルチシートに要求される生分解性、雑草抑制効果、地温抑制効果、透水性は、土壌環境や作付する作物の種類によって異なるため、一種類の紙製マルチシートで対応することは不可能であった。上記問題を解決する方法として、品質の異なる複数の紙製マルチシートを組み合わせることで対応可能であるが非現実的である。
【０００６】
そこで、本発明は、様々な環境において、雑草抑制効果、地温調整効果、透水性に優れた農業用マルチ材料、具体的には農業用液体マルチ組成物を得ることを目的とする。
【課題を解決するための手段】
【０００７】
本発明は、以下の〔１〕〜〔１４〕を提供することを目的とする。
〔１〕  （Ａ）成分：カルボキシメチルセルロース又はその塩、（Ｂ）成分：カチオン性高分子、（Ｄ）成分：有色剤を含有する農業用液体マルチ組成物。
〔２〕  （Ｃ）成分：硫酸塩、リン酸塩、及び硝酸塩からなる群より選ばれる少なくとも１種類の塩を含有する〔１〕に記載の組成物。
〔３〕  （Ａ）成分が、グルコース残基当たりカルボキシメチル基の置換度が０．４〜１．１のカルボキシメチルセルロースを含む〔１〕〜〔２〕のいずれか一項に記載の組成物。
〔４〕  （Ａ）成分が、１％粘度が３００〜２０００ｍＰａ・ｓのカルボキシメチルセルロースを含む〔１〕〜〔３〕のいずれか一項に記載の組成物。
〔５〕  （Ｂ）成分が、ポリアクリル酸エステル系化合物及び／又はポリメタクリル酸エステル系化合物である〔１〕〜〔４〕のいずれか一項に記載の組成物。
〔６〕  （Ｂ）成分が、カチオン化度が３．０〜５．０ｍｅｑ／ｇであるカチオン性高分子を含む〔１〕〜〔５〕のいずれか一項に記載の組成物。
〔７〕  （Ｂ）成分が、分子量３００万〜７５０万のカチオン性高分子を含む〔１〕〜〔６〕のいずれか一項に記載の組成物。
〔８〕  （Ｃ）成分が、硫酸アンモニウム、硝酸アンモニウム、及びリン酸アンモニウムからなる群より選ばれる少なくとも１種類のアンモニウム塩を含む〔１〕〜〔７〕のいずれか一項に記載の組成物。
〔９〕  （（Ｄ）成分が、カーボンブラック、フタロシアニングリーン、チタンホワイト、ベンガラからなる群より選ばれる少なくとも１種類を含む〔１〕〜〔８〕のいずれか一項に記載の組成物。
〔１０〕  （Ａ）、（Ｂ）成分の配合比率が、（Ａ）：（Ｂ）＝０．３〜０．８：０．０５〜０．２である〔１〕〜〔９〕のいずれか一項に記載の組成物。
〔１１〕  （Ａ）、（Ｂ）及び（Ｃ）成分の配合比率が、（Ａ）：（Ｂ）：（Ｃ）＝０．３〜０．８：０．０５〜０．２：０．４〜１．０である〔１〕〜〔１０〕のいずれか一項に記載の組成物。
〔１２〕  （Ａ）、（Ｂ）、（Ｃ）及び（Ｄ）成分の配合比率が、（Ａ）：（Ｂ）：（Ｃ）：（Ｄ）＝０．３〜０．８：０．０５〜０．２：０．４〜１．０：０．０３〜０．１５である〔１〕〜〔１１〕のいずれか一項に記載の組成物。
〔１３〕  組成物のｐＨが５．８以上７．５以下であることを特徴とする〔１〕〜〔１２〕のいずれか一項に記載の組成物。
〔１４〕  リグニンスルホン酸及びその塩を含む〔１〕〜〔１３〕のいずれか一項に記載の組成物。
【発明の効果】
【０００８】
本発明によれば、様々な環境において、雑草抑制効果、地温調整効果、透水性に優れた農業用マルチ材料、具体的には農業用液体マルチ組成物を得ることができる。
【発明を実施するための形態】
【０００９】
本発明の農業用液体マルチ組成物（以下、単に「組成物」ということがある）は、ポリイオンコンプレックスを形成する、（Ａ）成分と（Ｂ）成分と（Ｄ）成分が含有されているため、この組成物を散布すると畑などの表面の土壌が固化され、その結果として、雑草抑制効果、地温調整効果が発現する。また、畑の表面に本発明の組成物からなるシートが存在するのではなく、本発明の組成物と土壌との固化物が存在することになるため、透水性にも優れる。
【００１０】
なお、ポリイオンコンプレックスとは、ポリアニオンとポリカチオンが静電的相互結合により形成する複合体である。本発明においては通常、カチオンに対してアニオンがリッチなポリイオンコンプレックスを形成できるので、組成物の毒性が低い。組成物中にポリイオンコンプレックスが形成されていることは、組成物が白濁していることを目視することで確認できる。ポリイオンコンプレックスがアニオンリッチであること（カチオンよりアニオンを多く含むこと）は、組成物の原料の種類及び含有量から推定できる。
【００１１】
また、本発明の組成物の散布する量により、雑草抑制効果、地温調整効果、透水性を調整することができる。
【００１２】
更に、本発明の組成物の主成分である、（Ａ）成分：カルボキシメチルセルロース又はその塩、（Ｂ）成分：カチオン性高分子は生分解性あるいは光分解性を有しているため、使用後の土壌への影響はほとんどない。また、（Ｄ）成分：有色染料、有色顔料は、その使用量が少ないことや、土壌への影響がない材料を選択することで、使用後に土壌へ影響を及ぼすことはない。さらに、（Ｃ）成分：硫酸塩、リン酸塩、硝酸塩は肥料などにも利用されており、土壌への影響はほとんどない。
【００１３】
本発明の農業用液体マルチ組成物は、上記（Ａ）成分、（Ｂ）成分及び（Ｄ）成分のみ、（Ａ）成分、（Ｂ）成分及び（Ｄ）成分に（Ｃ）成分を混同した組成物を土壌に散布して使用される。また、上記（Ａ）成分、（Ｂ）成分及び（Ｄ）成分からなる組成物を土壌に散布後に、散布した組成物に含有されていない（Ｃ）成分を含む液体を散布して使用することもできる。
【００１４】
また、本発明において、リグニンスルホン酸及びその塩を配合することで、農業用液体マルチ組成物を構成する各成分の相溶性を向上させることができる。なお、リグニンスルホン酸及びその塩は、肥効性や微生物活性を向上させ、木材由来の糖類が含まれているため、土壌微生物を速やかに活性化するため、使用後に土壌へ影響を及ぼすことはない。
【００１５】
（カルボキシメチルセルロース）
（Ａ）成分は、カルボキシメチルセルロース（ＣＭＣ）及び／又はその塩である。カルボキシメチルセルロース又はその塩の製造方法は特に限定されないが、セルロース原料にカルボキシメチル化反応を行う製造方法が例示される。
【００１６】
セルロース原料としては、晒又は未晒木材パルプ、精製リンター、酢酸菌等の微生物によって生産されるセルロース等の天然セルロースや、セルロースを銅アンモニア溶液、モルホリン誘導体等、何らかの溶媒に溶解し、改めて紡糸された再生セルロース、及び上記セルロース系素材の加水分解、アルカリ加水分解、酵素分解、爆砕処理、振動ボールミル処理等によって解重合処理した微細セルロース又は機械的に処理した微細セルロースが例示される。
【００１７】
カルボキシメチル化反応においては、溶媒として低級アルコールを用いてもよい。溶媒の量は、発底原料であるセルロースに対し３〜２０重量倍であることが好ましい。低級アルコールとしては、メタノール、エタノール、ｎ−プロピルアルコール、イソプロピルアルコール、ｎ−ブタノール、イソブタノール、第３級ブタノール等の単独、又は２種以上の混合物と水の混合媒体が例示される。該混合媒体における低級アルコールの混合割合は、６０〜９５重量％である。
【００１８】
カルボキシメチル化反応においては、通常はマーセル化剤を用いる。マーセル化剤の量は、発底原料であるセルロースのグルコース残基当たり０．５〜２０倍モルであることが好ましい。マーセル化剤としては、水酸化アルカリ金属が例示される。水酸化アルカリ金属としては、水酸化ナトリウム、水酸化カリウムが例示される。
【００１９】
カルボキシメチル化反応においては通常、発底原料と溶媒、マーセル化剤を混合してマーセル化反応を行う。マーセル化反応の反応温度は、通常は０〜７０℃、好ましくは１０〜６０℃である。マーセル化反応の反応時間は、通常１５分〜８時間、好ましくは３０分〜７時間である。
【００２０】
カルボキシメチル化反応においては通常、マーセル化反応の後にカルボキシメチル化剤を用いてエーテル化反応を行う。エーテル化反応におけるカルボキシメチル化剤の量は、グルコース残基当たり０．０５〜２．０倍モルであることが好ましい。エーテル化反応の反応温度は、３０〜９０℃であり、好ましくは４０〜８０℃である。エーテル化反応の反応時間は、通常は３０分〜１０時間であり、好ましくは１時間〜４時間である。
【００２１】
カルボキシメチルセルロース又はその塩の、グルコース残基当たりカルボキシメチル基の置換度（ＤＳ値）は、０．４以上であることが好ましく、０．５以上であることがより好ましい。また、カルボキシメチルセルロース又はその塩の、グルコース残基当たりカルボキシメチル基の置換度（ＤＳ値）は、１．１以下であることが好ましく、１．０以下であることがより好ましく、０．９以下または０．７以下であることがさらに好ましい。カルボキシメチルセルロース又はその塩の、グルコース残基当たりカルボキシメチル基の置換度（ＤＳ値）は、０．４〜１．１であることが好ましく、０．５〜１．０であることがより好ましい。ＤＳ値は、実施例に記載する方法により測定することができる。
【００２２】
カルボキシメチルセルロース又はその塩の分子量は、１０万〜３０万であることが好ましく、１５万〜２５万であることがより好ましい。分子量の測定は、実施例に示す方法によることができる。
【００２３】
カルボキシメチルセルロース又はその塩の１％粘度は、３００以上であることが好ましく、５００以上であることがより好ましい。カルボキシメチルセルロース又はその塩の１％粘度は、２０００以下であることが好ましく、１５００以下であることがより好ましく、１１００以下であることがさらに好ましい。カルボキシメチルセルロース又はその塩の１％粘度は、３００〜２０００であることが好ましく、５００〜１１００であることがより好ましい。粘度の測定は、実施例に示す方法によることができる。
【００２４】
カルボキシメチルセルロースの塩は、有機塩及び無機塩のいずれでもよいが、無機塩が好ましく、ナトリウム塩がより好ましい。
【００２５】
（Ａ）成分は、１種類のカルボキシメチルセルロース又はその塩でもよいし、２種類以上のカルボキシメチルセルロースの組み合わせ、２種類以上のカルボキシメチルセルロースの塩の組み合わせ、２種類以上のカルボキシメチルセルロース及びその塩の組み合わせであってもよい。
【００２６】
（カチオン性高分子）
（Ｂ）成分は、カチオン性高分子である。カチオン性高分子は、通常、水に溶解したときにカチオン性を示す。カチオン性は、カチオン化度にて示すことができる。カチオン性高分子のカチオン化度は、５．０ｍｅｑ／ｇ以下であることが好ましく、４．５ｍｅｑ／ｇ以下であることがより好ましい。これにより、（Ａ）及び（Ｂ）成分の「継子」の発生を抑制することができる。下限は、３．０ｍｅｑ／ｇ以上であることが好ましく、３．５ｍｅｑ／ｇ以上であることがより好ましい。これにより、組成物が固化性を十分に発揮することができる。従って、カチオン化度は、３．０〜５．０ｍｅｑ／ｇであることが好ましく、３．５〜４．５ｍｅｑ／ｇであるこ
とがより好ましい。
【００２７】
カチオン化度（アニオン要求量）は、粒子表面電荷量測定装置などを用いて測定することができる。滴定試薬としてポリ塩化ジアリルジメチルアンモニウムを用いてもよい。測定の際、カチオン性高分子は、測定時にイオン交換水で希釈することが好ましい。
【００２８】
カチオン性高分子の分子量（Ｍｗ（重量平均分子量））は、３００万以上であることが好ましく、３５０万以上であることがより好ましく、５５０万以上であることがさらに好ましい。上限は、７５０万以下であることが好ましく、６５０万以下であることがより好ましい。従って、３００万〜７５０万であることが好ましく、３５０万〜６５０万であることがより好ましい。分子量の測定は、実施例に示す方法によることができる。
【００２９】
カチオン性高分子は、カチオン化度３．８〜４．２ｍｅｑ／ｇ且つ分子量３５０〜７５０万であることが好ましく、カチオン化度３．９〜４．１ｍｅｑ／ｇ且つ分子量５５０〜６５０万であることが好ましい。
【００３０】
カチオン性高分子としては、ジシアンジアミド・ホルムアルデヒド樹脂、ジエチレントリアミン・ジシアンジアミド・アンモニウムクロライド縮合物、（メタ）アクリロイルオキシアルキルトリアルキルアンモニウムクロライドの重合物、ジメチルジアリルアンモニウムクロライドの重合物、エチレンイミン重合物、ジアリルアミン重合物、アンモニア・エピクロロヒドリン・ジメチルアミン共重合物、ポリアクリルアミド系樹脂、ポリメタクリル酸エステル系樹脂、ポリアクリル酸エステル系樹脂、カチオン化セルロースなどを例示することができ、ポリアクリル酸エステル系化合物及びポリメタクリル酸エステル系化合物が好ましい。
【００３１】
（Ｂ）成分は、１種類のカチオン性高分子でもよいし、２種類以上のカチオン性高分子の組み合わせでもよい。
【００３２】
（硫酸塩、リン酸塩、硝酸塩）
（Ｃ）成分は、硫酸塩、リン酸塩、硝酸塩からなる群より選ばれる少なくとも１種類の塩である。硫酸塩、リン酸塩、硝酸塩としては、硫酸アンモニウム、硝酸アンモニウム、硫酸カリウム、リン酸カリウムリン酸アンモニウムが例示され、肥料としても利用されている硫酸アンモニウム、硫酸カリウムを使用することが好ましく、固化性の観点から硫酸アンモニウムを使用することがさらに好ましい。硫酸アンモニウムは、（Ａ）成分と（Ｂ）成分からなるポリイオンコンプレックスの分散安定性に優れるほかリン酸塩、硝酸塩のような環境汚染物質ではなく、一般に肥料として使用されており、農業用液体マルチ組成物の材料として好適に用いられる。また、アンモニウム塩は、通常、（Ａ）成分との溶解性に優れている。
【００３３】
（Ｃ）成分は、１種類のアンモニウム塩でもよいし、２種類以上のアンモニウム塩の組み合わせでもよい。
【００３４】
（有色剤）
（Ｄ）成分である有色剤とは、組成物に機能性を付与するために添加される材料であり、例えば、黒色の有色剤を用いた場合には地温を高く保つことができ、白色の有色剤を用いることで場合には地温の上昇を抑制することができる。  
有色剤としては、無機顔料、有機顔料、多環顔料、アゾ顔料、レーキ顔料、蛍光顔料、各種染料を使用することができ、雑草抑制の観点からは、フタロシアニン、フタロシアニングリーン、フタロシアニンブルー、ベンガラ、チタンホワイト、ジアゾ顔料、天然色素類、ジアゾ染料、カーボンブラック等を使用することが好ましく、カーボンブラックを使用することがさらに好ましい。なお、カーボンブラックの使用にあたっては、（Ａ）成分：カルボキシメチルセルロース又はその塩と（Ｂ）成分：カチオン性高分子との相溶性の点から、エチレングリコール、ジエチレングリコールなどの分散剤を含む溶液にカーボンブラックを分散した分散液を使用することが好ましい。
【００３５】
（リグニンスルホン酸及びその塩）
本発明において、リグニンスルホン酸及びその塩を液体マルチシート組成物に対して、有効固形分０．１〜１０質量％、好ましくは０．５〜１．５質量％配合することで、液体マルチシート組成物（特に顔料を含む液体マルチシート組成物）を構成する成分の相溶性を向上させることができる。
【００３６】
リグニンスルホン酸及びその塩としては、リグニンスルホン酸、リグニンスルホン酸カルシウム塩、リグニンスルホン酸マグネシウム塩、リグニンスルホン酸ナトリウム塩などを例示することができ、具体的には、サンエキスＭ−１００、サンエキスＰ３２１、サンエキス２５２、サンエキスＰ２５２、サンエキスSCL、サンエキスＳＣＰ、サンエキスＦＤＬ、バニレックスＮ、パールレックスＮＰ、パールレックスＤＰ（いずれも日本製紙製）などの市販品を例示することができる。なお、 リグニンスルホン酸及びその塩は有色剤としても利用することができる。
【００３７】
（配合比率）
また、（Ａ）、（Ｂ）及び（Ｄ）成分の含有比率（固形分）は、重量比で、（Ａ）：（Ｂ）：（Ｄ）＝０．３〜０．８：０．０５〜０．２：０．０３〜０．１５であることが好ましく、０．３５〜０．７５：０．１〜０．１５：０．０３〜０．１５であることがより好ましく、０．３８〜０．７５：０．０８〜０．１５：０．０３〜０．１５であることがさらに好ましく、０．４〜０．６：０．１〜０．１４：０．０３〜０．１５であることがさらにより好ましい。
【００３８】
また、（Ａ）〜（Ｄ）成分の含有比率（固形分）は、重量比で、（Ａ）：（Ｂ）：（Ｃ）：（Ｄ）＝０．３〜０．８：０．０５〜０．２：０．４〜１．０：０．０３〜０．１５であることが好ましく、０．３５〜０．７５：０．１〜０．１５：０．４５〜１．０：０．０３〜０．１５であることがより好ましく、０．３８〜０．７５：０．０８〜０．１５：０．６〜１．０：０．０３〜０．１５であることがさらに好ましく、０．４〜０．６：０．１〜０．１４：０．６〜０．８：０．０３〜０．１５であることがさらにより好ましい。
【００３９】
本発明の農業用液体マルチ組成物のｐＨは、中性付近であることが好ましく、５．８〜７．５または６〜７であることがより好ましい。これにより、土壌への影響を抑制することができる。
【００４０】
農業用液体マルチシートを構成する溶媒は、水等の水性溶媒であることが好ましい。農業用液体マルチ組成物中の上記成分（Ａ）〜成分（Ｄ）の合計量は１．０〜２．３重量％であることが好ましく、１．１〜１．５重量％であることがより好ましい。
【００４１】
本発明の農業用液体マルチ組成物は、（Ａ）及び（Ｂ）成分を必須の成分として、必要に応じて（Ｃ）、（Ｄ）成分、溶媒の他の成分を含んでいてもよい。他の成分としては、保存剤、ｐＨ調整剤等が例示される。
【００４２】
本発明の農業用液体マルチ組成物の製造方法は、特に限定されない。例えば、（Ａ）及び（Ｂ）成分と必要に応じて他の成分を混合すればよい。混合の際の温度、ｐＨ、使用機器等の条件は、特に限定されない。
【００４３】
本発明の農業用液体マルチ組成物を土壌に散布することにより、土壌を固化することができる。散布方法は特に限定されないが、噴霧によることが好ましい。噴霧器は通常用いられるものを利用すればよい。
【実施例】
【００４４】
下記において、特に説明がない限り、「％」は「重量％」を意味する。
【００４５】
［実施例１］
カルボキシメチルセルロースのナトリウム塩１．２重量％水溶液（日本製紙製  商品名：ＣＳ−２、１％粘度１０００ｍＰａ・ｓ、ＤＳ値：０．５５）１７５ｇに、硫酸アンモニウム２．５重量％水溶液１４０ｇ、ポリメタアクリル酸エステル系樹脂（ＭＴアクアポリマー製、商品名：Ｃ３０３Ｈ、カチオン化度：４．０ｍｅｑ／ｇ、分子量６００万、有効固形分：０．３重量％、粘度２９０ｍＰａ・ｓ（０．２重量％溶液））１９０ｇ、リグニンスルホン酸塩（日本製紙製、商品名：サンエキスＰ２０２、有効固形分：９３重量％）６ｇ、カーボンブラック（呉竹製、商品名Ｓ．Ｒ．ブラック、有効固形分：１０重量％、エチレングリコール含有）２．５ｍｌを混合して固形分２．４重量％の農業用液体マルチ組成物を得た。なお、農業用液体マルチ組成物は、白濁しており、ポリイオンコンプレックス（ＰＩＣ）が形成されていることが認められた。また、粘度は６０ｍＰａ・ｓ、ｐＨは６．２であった。得られた農業用液体マルチ組成物を農薬散布機（やまびこ社製、商品面：ＫＩＯＲＩＴＺ  ＳＨＰＥ７０１）にて、２Ｌ/ｍ２になるように温室内の土壌表面に均一に散布した。
【００４６】
（評価）
＜雑草抑制効果＞
２か月後の農業用液体マルチ組成物を散布した土壌と、農業用液体マルチ組成物の散布を行わなかった土壌の雑草の状態を比較観察したところ、農業用液体マルチ組成物を散布した土壌に明らかな雑草抑制効果が認められた。
【００４７】
＜透水性＞
農業用液体マルチ組成物を散布した土壌と、農業用液体マルチ組成物の散布を行わなかった土壌に如雨露を用いて水を散布して、土壌の透水性の評価を行った。その結果、農業用液体マルチ組成物を散布しなかった土壌比較して、散布した土壌の水はけ（透水性）は低下しているが、水たまりができることはなかった。
【００４８】
＜地温調節効果＞
農業用液体マルチ組成物を散布した土壌と、農業用液体マルチ組成物の散布を行わなかった土壌の地温（地表から８ｃｍの地中）を測定したところ、地温に変化は見られなかったことから、農業用液体マルチ組成物の散布を行った土壌には、地温上昇抑制効果があることが認められた。
【００４９】
（測定条件）
＜カルボキシメチルセルロースのＤＳ値＞
試料約２．０ｇを精秤して、３００ｍＬ共栓付き三角フラスコに入れた。メタノール１０００ｍＬに特級濃硝酸１００ｍＬを加えた液１００ｍＬを加え、３時間振とうして、カルボキシメチルセルロース塩（ＣＭＣ）をＨ−ＣＭＣ（カルボキシメチルセルロース）にした。その絶乾Ｈ−ＣＭＣを１．５〜２．０ｇ精秤し、３００ｍＬ共栓付き三角フラスコに入れた。８０％メタノール１５ｍＬでＨ−ＣＭＣを湿潤し、０．１Ｎ−ＮａＯＨを１００ｍＬ加え、室温で３時間振とうした。指示薬として、フェノールフタレインを用いて、０．１Ｎ−Ｈ2ＳＯ4で過剰のＮａＯＨを逆滴定した。ＣＭ−ＤＳは、次式によって算出した。
（式）
Ａ＝［（１００×Ｆ−０．１Ｎ−Ｈ2ＳＯ4（ｍＬ）×Ｆ’）×０．１］／（Ｈ−ＣＭＣの絶乾重量（ｇ））
ＣＭ−ＤＳ＝０．１６２×Ａ／（１−０．０５８×Ａ）
Ａ：Ｈ−ＣＭＣの１ｇの中和に要する１Ｎ−ＮａＯＨ量（ｍＬ）
Ｆ’：０．１Ｎ−Ｈ2ＳＯ4のファクター
Ｆ：０．１Ｎ−ＮａＯＨのファクター
＜カルボキシメチルセルロースの分子量＞
ＧＰＣ用カラム（ＯＨｐａｋ  ＳＢ−８０４  ＨＱ：昭和電工株式会社）を用い、溶離液を２００ｍＭ過塩素酸ナトリウムとし、プルランを標準物質としてできる。検出は示差屈折計をもちいることができる。
＜カルボキシメチルセルロースの１％粘度＞
１％水溶液を調製後、２４時間放置し２５℃でＢ型粘度計を用いて測定できる。
＜カチオン性高分子のカチオン化度＞
粒子表面電荷量測定装置（ＭＵＴＥＫ製、Ｐａｒｔｉｃｌｅ  Ｃｈａｒｇｅ  Ｄｅｔｅｃｔｏｒ  ＰＣＤ  ０３ｐＨ）を用い、滴定試薬としてポリ塩化ジアリルジメチルアンモニウム（１／１０００Ｎ）を用いてもよい。試料であるカチオン性高分子は、イオン交換水で０．０４重量％に希釈してから測定することができる。
＜カチオン性高分子の分子量＞
ＧＰＣ用カラム（ＯＨｐａｋ  ＳＢ−８０４  ＨＱ:昭和電工株式会社）を用い、溶離液として酢酸水溶液と硝酸ナトリウムを用いプルランを標準物質とできる。検出は示差屈折計を用いる事ができる。
＜カチオン性高分子の粘度＞
Ｂ型粘度計を用いて測定できる。